(57)【要約】【課題】  伸縮性インナーウエストベルトが、衣服の裏側に着脱可能であって、着脱具が肌に直接当ることがなく、快適に長時間着用することができること。【解決手段】  伸縮性インナーウエストベルト１の表側１ａには、一定間隔で複数の雄フック２０ｂが取付けられたランジェリーフックアイテープの雄側２０Ｂが縫付けられており、ズボン１５のウエストベルト１６の裏側１６ａには、雄フック２０ｂと同一間隔で複数の雌フック２０ａが取付けられたランジェリーフックアイテープの雌側２０Ａが縫付けられている。複数の雄フック２０ｂをそれぞれ対応する位置の複数の雌フック２０ａに係合させることによって、簡単に素早く装着することができる。ランジェリーフックアイテープの雄側２０Ｂは伸縮性インナーウエストベルト１の表側１ａに縫付けられているので、雄フック２０ｂまたは雌フック２０ａが肌に直接当ることはなく、肌を圧迫することもない。【選択図】        図３
2004353154.tif 000002
【特許請求の範囲】
【請求項１】
衣服の下のウエスト部分に着用するインナーウエストベルトであって、
伸縮性の素材からなり、前記ウエスト部分を引き締めることができ、
前記衣服のウエストベルトの裏側にＺナップの凸側または凹側が複数個取付けられ、前記インナーウエストベルトの上端に前記Ｚナップの凹側または凸側が複数個取付けられて、前記衣服のウエストベルトの裏側の前記Ｚナップの凸側または凹側が前記インナーウエストベルトの上端の前記Ｚナップの凹側または凸側と嵌合させられ或いは取外されることによって、前記衣服の裏側に着脱可能であることを特徴とする伸縮性インナーウエストベルト。
【請求項２】
衣服の下のウエスト部分に着用するインナーウエストベルトであって、
伸縮性の素材からなり、前記ウエスト部分を引き締めることができ、
前記衣服のウエストベルトの裏側にランジェリーフックアイテープの雌側または雄側が取付けられ、前記インナーウエストベルトの表側に前記ランジェリーフックアイテープの雄側または雌側が取付けられて、前記ランジェリーフックアイテープの雌フックに前記ランジェリーフックアイテープの雄フックが係合させられ或いは取外されることによって、前記衣服の裏側に着脱可能であることを特徴とする伸縮性インナーウエストベルト。
【請求項３】
衣服の下のウエスト部分に着用するインナーウエストベルトであって、
伸縮性の素材からなり、前記ウエスト部分を引き締めることができ、
前記衣服のウエストベルトの裏側に複数の糸ループ或いは複数のボタンまたは複数の雄型スプリングホックが取付けられ、前記インナーウエストベルトの表側に複数のボタンまたは複数の雄型スプリングホックまたは複数の糸ループが取付けられて、前記糸ループに前記ボタンまたは前記雄型スプリングホックが嵌められ或いは外されることによって、前記衣服の裏側に着脱可能であることを特徴とする伸縮性インナーウエストベルト。
【請求項４】
衣服の下のウエスト部分に着用するインナーウエストベルトであって、
伸縮性の素材からなり、前記ウエスト部分を引き締めることができ、
前記衣服のウエストベルトの裏側に複数のルーパー或いは複数のボタンまたは複数の雄型スプリングホックが取付けられ、前記インナーウエストベルトの表側に複数のボタンまたは複数の雄型スプリングホック或いは複数のルーパーが取付けられて、前記ルーパーに前記ボタンまたは前記雄型スプリングホックが嵌められ或いは外されることによって、前記衣服の裏側に着脱可能であることを特徴とする伸縮性インナーウエストベルト。
【請求項５】
衣服の下のウエスト部分に着用するインナーウエストベルトであって、
伸縮性の素材からなり、前記ウエスト部分を引き締めることができ、
前記衣服のウエストベルトの裏側に複数の表地バイアスループまたは裏地バイアスループ或いは複数のボタンまたは複数の雄型スプリングホックが取付けられ、前記インナーウエストベルトの表側に複数のボタンまたは複数の雄型スプリングホック或いは複数の表地バイアスループまたは裏地バイアスループが取付けられて、前記表地バイアスループまたは裏地バイアスループに前記ボタンまたは前記雄型スプリングホックが嵌められ或いは外されることによって、前記衣服の裏側に着脱可能であることを特徴とする伸縮性インナーウエストベルト。
【請求項６】
衣服の下のウエスト部分に着用するインナーウエストベルトであって、
伸縮性の素材からなり、前記ウエスト部分を引き締めることができ、
前記衣服のウエストベルトの裏側に複数のチイまたは複数のボタンが取付けられ、前記インナーウエストベルトの表側に複数のボタンまたは複数のチイが取付けられて、前記チイに前記ボタンが嵌められ或いは外されることによって、前記衣服の裏側に着脱可能であることを特徴とする伸縮性インナーウエストベルト。
【請求項７】
衣服の下のウエスト部分に着用するインナーウエストベルトであって、
伸縮性の素材からなり、前記ウエスト部分を引き締めることができ、
前記衣服のウエストベルトの裏側に複数のボタンホールが設けられた布テープまたはゴムテープ或いは複数のボタンが取付けられ、前記インナーウエストベルトの表側に複数のボタン或いは複数のボタンホールが設けられた布テープまたはゴムテープが取付けられて、前記ボタンホールに前記ボタンが嵌められ或いは外されることによって、前記衣服の裏側に着脱可能であることを特徴とする伸縮性インナーウエストベルト。
【請求項８】
衣服の下のウエスト部分に着用するインナーウエストベルトであって、
伸縮性の素材からなり、前記ウエスト部分を引き締めることができ、
前記衣服のウエストベルトの裏側に複数の雄型または雌型スプリングホックが取付けられ、前記インナーウエストベルトの表側に複数の雌型または雄型スプリングホックが取付けられて、前記雄型スプリングホックと前記雌型スプリングホックが嵌合させられ或いは外されることによって、前記衣服の裏側に着脱可能であることを特徴とする伸縮性インナーウエストベルト。
【請求項９】
衣服の下のウエスト部分に着用するインナーウエストベルトであって、
伸縮性の素材からなり、前記ウエスト部分を引き締めることができ、
前記衣服のウエストベルトの裏側に複数の凸側または凹側のドット釦或いは複数の凸側または凹側のドット釦が付いたドット・スナップテープが取付けられ、前記インナーウエストベルトの表側に複数の凹側または凸側のドット釦或いは複数の凹側または凸側のドット釦が付いたドット・スナップテープが取付けられて、前記凸側または凹側のドット釦に前記凹側または凸側のドット釦が嵌められ或いは外されることによって、前記衣服の裏側に着脱可能であることを特徴とする伸縮性インナーウエストベルト。
【請求項１０】
衣服の下のウエスト部分に着用するインナーウエストベルトであって、
伸縮性の素材からなり、前記ウエスト部分を引き締めることができ、
前記衣服のウエストベルトの裏側に一または二以上のオープンファスナーの雄側または雌側が取付けられ、前記インナーウエストベルトの表側に一または二以上の前記オープンファスナーの雌側または雄側が取付けられて、前記オープンファスナーの雄側と雌側とが全て接続され或いは全て外されることによって、前記衣服の裏側に着脱可能であることを特徴とする伸縮性インナーウエストベルト。
【請求項１１】
衣服の下のウエスト部分に着用するインナーウエストベルトであって、
伸縮性の素材からなり、前記ウエスト部分を引き締めることができ、
前記衣服のウエストベルトの裏側に間隔を空けて複数のホールの付いたレース生地或いは複数のボタンまたは複数の雄型スプリングホックが取付けられ、前記インナーウエストベルトの表側に複数のボタンまたは複数の雄型スプリングホック或いは間隔を空けて複数のホールの付いたレース生地が取付けられて、前記レース生地のホールに前記ボタンまたは前記雄型スプリングホックが嵌められ或いは外されることによって、前記衣服の裏側に着脱可能であることを特徴とする伸縮性インナーウエストベルト。
【請求項１２】
衣服の下のウエスト部分に着用するインナーウエストベルトであって、
伸縮性の素材からなり、前記ウエスト部分を引き締めることができ、
前記衣服のウエストベルトの裏側に複数の接着布（マジックテープ；登録商標）の硬い側または軟らかい側が取付けられ、前記インナーウエストベルトの表側に複数の接着布の軟らかい側または硬い側が取付けられて、前記接着布の硬い側と軟らかい側とが接着され或いは剥がされることによって、前記衣服の裏側に着脱可能であることを特徴とする伸縮性インナーウエストベルト。
【請求項１３】
前記衣服のウエストベルトの裏側にキセを設けて前記衣服のウエストベルトの裏側に取付けられた着脱具の一方が前記キセの下に隠れるようにした前記衣服の裏側に着脱可能であることを特徴とする請求項１乃至請求項１２のいずれか１つに記載の伸縮性インナーウエストベルト。
【請求項１４】
前記衣服のウエストベルトの裏側に設けられた前記キセを貫通して複数のボタンホールが設けられ、または前記キセの内側の布のみに複数の隠し穴かがりが設けられ、前記インナーウエストベルトの表側に複数のボタンが取付けられて、前記ボタンホールまたは前記隠し穴かがりに前記ボタンが嵌められ或いは外されることによって、前記衣服の裏側に着脱可能であることを特徴とする請求項１３に記載の伸縮性インナーウエストベルト。
【請求項１５】
前記衣服のウエストベルトの裏側に取付けられた着脱具の一方と前記衣服の表身頃の間に当て布を縫込むことによって前記衣服に前記インナーウエストベルトを取付けて着用したときに前記衣服の表身頃に前記着脱具のアタリが出ることを防いだことを特徴とする請求項１乃至請求項１４のいずれか１つに記載の伸縮性インナーウエストベルト。
【請求項１６】
前記当て布は前記衣服のウエストベルトの裏布を延長したものであることを特徴とする請求項１５に記載の伸縮性インナーウエストベルト。
【請求項１７】
前記インナーウエストベルトの表側に取付けられた着脱具の一方のさらに表側に当て布を縫付けることによって前記衣服に前記インナーウエストベルトを取付けて着用したときに前記衣服の表身頃に前記着脱具のアタリが出ることを防いだことを特徴とする請求項１乃至請求項１４のいずれか１つに記載の伸縮性インナーウエストベルト。
【請求項１８】
前記伸縮性の素材は、前記ウエスト部分の周方向に伸びて略平行に並べられた複数のゴムテープを含むものであることを特徴とする請求項１乃至請求項１７のいずれか１つに記載の伸縮性インナーウエストベルト。
【請求項１９】
前記伸縮性の素材は、少なくとも前記ウエスト部分の周方向に伸縮自在な生地であることを特徴とする請求項１乃至請求項１７のいずれか１つに記載の伸縮性インナーウエストベルト。
【請求項２０】
前記ウエスト部分の１箇所において外周長さ調節可能に接続されていることを特徴とする請求項１乃至請求項１９のいずれか１つに記載の伸縮性インナーウエストベルト。
【請求項２１】
前記ウエスト部分を引き締めることができるインナー用のニット生地で作られたガードル形のもので、
前中心にガードル形インナーウエストベルトを開閉自在なファスナーが取付けられていることを特徴とする請求項１乃至請求項１７のいずれか１つに記載の伸縮性インナーウエストベルト。
【請求項２２】
前記ウエスト部分の弛んだ部分及び出っ張った部分に当る部分には前記ニット生地を複数枚重ねたものであることを特徴とする請求項２１に記載の伸縮性インナーウエストベルト。
【請求項２３】
衣服の下のウエスト部分に着用するインナーウエストベルトであって、
伸縮性の素材からなり、前記ウエスト部分を引き締めることができ、
前記衣服のウエストベルトの裏側にＺナップの凸側または凹側が所定間隔で複数個取付けられたＺナップテープ、或いは複数の凸側または凹側のドット釦が付いたドット・スナップテープが両脇と前中心近傍を除いて縫付けられ、
前記インナーウエストベルトの上端或いは表側に前記Ｚナップの凹側または凸側が所定間隔で複数個取付けられたＺナップテープ或いは複数の凹側または凸側のドット釦が付いたドット・スナップテープが両脇と前中心近傍を除いて縫付けられ、
前記衣服のウエストベルトの裏側の前記Ｚナップの凸側または凹側が前記インナーウエストベルトの上端の前記Ｚナップの凹側または凸側と嵌合させられ或いは取外されることによって、若しくは前記衣服のウエストベルトの裏側の前記凸側または凹側のドット釦に前記インナーウエストベルトの表側の前記凹側または凸側のドット釦が嵌められ或いは取外されることによって、前記衣服の裏側に着脱可能であり、
前記Ｚナップテープまたは前記ドット・スナップテープは伸縮性のない素材からなることを特徴とする伸縮性インナーウエストベルト。
【請求項２４】
前記Ｚナップテープまたは前記ドット・スナップテープは伸縮性のある素材からなることを特徴とする請求項２３に記載の伸縮性インナーウエストベルト。
【請求項２５】
前記Ｚナップテープまたは前記ドット・スナップテープが縫付けられていない前記衣服のウエストベルトの裏側の両脇と前記インナーウエストベルトの上端または表側の両脇に各１個ずつのＺナップの凸側または凹側或いは凸側または凹側のドット釦が取付けられていることを特徴とする請求項２３または請求項２４に記載の伸縮性インナーウエストベルト。
【発明の詳細な説明】
【技術分野】
【０００１】
本発明は、ズボン・スカート等の衣服の下に着用してウエストサイズを引き締めることができるとともに、衣服に着脱可能な伸縮性インナーウエストベルトに関するものであり、ウエスト周りに取付けることによって衣服全般に適用できるものである。
【背景技術】
【０００２】
本発明者は、先に、着用する人のウエストラインを美しく引き締めるとともに衣服のベルト部の上からベルトをきつく締めてもベルト部の周りに皺、撚れ等が生じることなく見栄えを良好に保つことができる伸縮性インナーウエストベルトにかかる発明についての出願をしている（特許文献１）。この特許文献１においては、着用する人のウエストラインを引き締めるとともに、衣服の生地の余りをインナーで調節することによって、衣服のベルト部の周りに皺、撚れ、突っ張り皺等が生じるのを防止している。
【０００３】
ここで、伸縮性インナーウエストベルトを衣服の裏側に着脱可能にすることによって、衣服の裏側に着けて着用したときは、ウエスト部分が引き締められてウエストラインが美しく保たれるとともに、伸縮性の素材からなる伸縮性インナーウエストベルトが衣服の裏側に密着しているために、衣服のウエスト部分の生地も引き締められることになり、衣服のベルト部の上からベルトをきつく締めてもベルト部の周りに皺、撚れ等が生じることがない。そして、衣服のウエストラインと伸縮性インナーウエストベルトのウエストラインがずれることがないので、かかる効果を確実に持続させることができる。また、伸縮性インナーウエストベルトが不要なときには、衣服の裏側から外すことによって、衣服のみを着用することができる。さらに、衣服の裏側から外すことによって、伸縮性インナーウエストベルトのみを洗濯することもできる。
【特許文献１】特開２００２−３３９１０６号公報
【発明の開示】
【発明が解決しようとする課題】
【０００４】
しかしながら、伸縮性インナーウエストベルトを衣服の裏側に着脱可能にするためには、ボタン、スプリングホック、ドット釦、ファスナー等の着脱具を伸縮性インナーウエストベルトと衣服の裏側とに取付ける必要がある。ここで、伸縮性インナーウエストベルトを衣服の裏側に着けた状態で衣服を着用したときに、上記種々の着脱具が肌に直接当ると痛くて不快であり、長時間着用していられない。さらに、特に衣服の生地が薄い場合には、上記種々の着脱具のアタリが表身頃に表れて美観を損ね、見栄えが悪くなるという問題点があった。
【０００５】
そこで、本発明は、衣服の裏側に着脱可能であって、種々の着脱具が肌に直接当ることがなく、快適に長時間着用することができるとともに着脱具のアタリが表身頃に表れて美観を損ねるのを防ぐことができる伸縮性インナーウエストベルトの提供を課題とするものである。
【０００６】
また、上記特許文献１においては、衣服の裏側に着脱可能なガードル形の伸縮性インナーウエストベルトについても開示されているが、インナー用のニット生地で作られているために、ウエスト部分からお尻、後ろ太もものあたり等、弛んだ部分或いは出っ張った部分を引き締める効果は大きいが、その分だけ着用するのが大変で時間がかかるという問題点があった。
【０００７】
そこで、本発明においては、着用するのが容易で引き締める効果も大きく、衣服の裏側に着脱可能であって、種々の着脱具が肌に直接当ることがなく、快適に長時間着用することができるガードル形の伸縮性インナーウエストベルトの提供をも課題とするものである。
【課題を解決するための手段】
【０００８】
請求項１の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側にＺナップの凸側または凹側が複数個取付けられ、前記インナーウエストベルトの上端に前記Ｚナップの凹側または凸側が複数個取付けられて、前記衣服のウエストベルトの裏側の前記Ｚナップの凸側または凹側が前記インナーウエストベルトの上端の前記Ｚナップの凹側または凸側と嵌合させられ或いは取外されることによって、前記衣服の裏側に着脱可能であるものである。
【０００９】
請求項２の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側にランジェリーフックアイテープの雌側または雄側が取付けられ、前記インナーウエストベルトの表側に前記ランジェリーフックアイテープの雄側または雌側が取付けられて、前記ランジェリーフックアイテープの雌フックに前記ランジェリーフックアイテープの雄フックが係合させられ或いは取外されることによって、前記衣服の裏側に着脱可能であるものである。
【００１０】
請求項３の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数の糸ループ或いは複数のボタンまたは複数の雄型スプリングホックが取付けられ、前記インナーウエストベルトの表側に複数のボタンまたは複数の雄型スプリングホックまたは複数の糸ループが取付けられて、前記糸ループに前記ボタンまたは前記雄型スプリングホックが嵌められ或いは外されることによって、前記衣服の裏側に着脱可能であるものである。
【００１１】
請求項４の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数のルーパー或いは複数のボタンまたは複数の雄型スプリングホックが取付けられ、前記インナーウエストベルトの表側に複数のボタンまたは複数の雄型スプリングホック或いは複数のルーパーが取付けられて、前記ルーパーに前記ボタンまたは前記雄型スプリングホックが嵌められ或いは外されることによって、前記衣服の裏側に着脱可能であるものである。
【００１２】
請求項５の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数の表地バイアスループまたは裏地バイアスループ或いは複数のボタンまたは複数の雄型スプリングホックが取付けられ、前記インナーウエストベルトの表側に複数のボタンまたは複数の雄型スプリングホック或いは複数の表地バイアスループまたは裏地バイアスループが取付けられて、前記表地バイアスループまたは裏地バイアスループに前記ボタンまたは前記雄型スプリングホックが嵌められ或いは外されることによって、前記衣服の裏側に着脱可能であるものである。
【００１３】
請求項６の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数のチイまたは複数のボタンが取付けられ、前記インナーウエストベルトの表側に複数のボタンまたは複数のチイが取付けられて、前記チイに前記ボタンが嵌められ或いは外されることによって、前記衣服の裏側に着脱可能であるものである。
【００１４】
請求項７の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数のボタンホールが設けられた布テープまたはゴムテープ或いは複数のボタンが取付けられ、前記インナーウエストベルトの表側に複数のボタン或いは複数のボタンホールが設けられた布テープまたはゴムテープが取付けられて、前記ボタンホールに前記ボタンが嵌められ或いは外されることによって、前記衣服の裏側に着脱可能であるものである。
【００１５】
請求項８の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数の雄型または雌型スプリングホックが取付けられ、前記インナーウエストベルトの表側に複数の雌型または雄型スプリングホックが取付けられて、前記雄型スプリングホックと前記雌型スプリングホックが嵌合させられ或いは外されることによって、前記衣服の裏側に着脱可能であるものである。
【００１６】
請求項９の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数の凸側または凹側のドット釦或いは複数の凸側または凹側のドット釦が付いたドット・スナップテープが取付けられ、前記インナーウエストベルトの表側に複数の凹側または凸側のドット釦或いは複数の凹側または凸側のドット釦が付いたドット・スナップテープが取付けられて、前記凸側または凹側のドット釦に前記凹側または凸側のドット釦が嵌められ或いは外されることによって、前記衣服の裏側に着脱可能であるものである。
【００１７】
請求項１０の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に一または二以上のオープンファスナーの雄側または雌側が取付けられ、前記インナーウエストベルトの表側に一または二以上の前記オープンファスナーの雌側または雄側が取付けられて、前記オープンファスナーの雄側と雌側とが全て接続され或いは全て外されることによって、前記衣服の裏側に着脱可能であるものである。
【００１８】
請求項１１の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に間隔を空けて複数のホールの付いたレース生地或いは複数のボタンまたは複数の雄型スプリングホックが取付けられ、前記インナーウエストベルトの表側に複数のボタンまたは複数の雄型スプリングホック或いは間隔を空けて複数のホールの付いたレース生地が取付けられて、前記レース生地のホールに前記ボタンまたは前記雄型スプリングホックが嵌められ或いは外されることによって、前記衣服の裏側に着脱可能であるものである。
【００１９】
請求項１２の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側に複数の接着布の硬い側または軟らかい側が取付けられ、前記インナーウエストベルトの表側に複数の接着布の軟らかい側または硬い側が取付けられて、前記接着布の硬い側と軟らかい側とが接着され或いは剥がされることによって、前記衣服の裏側に着脱可能であるものである。
【００２０】
請求項１３の発明にかかる伸縮性インナーウエストベルトは、請求項１乃至請求項１２のいずれか１つの構成において、前記衣服のウエストベルトの裏側にキセを設けて前記衣服のウエストベルトの裏側に取付けられた着脱具の一方が前記キセの下に隠れるようにした前記衣服の裏側に着脱可能であるものである。
【００２１】
請求項１４の発明にかかる伸縮性インナーウエストベルトは、請求項１３の構成において、前記衣服のウエストベルトの裏側に設けられた前記キセを貫通して複数のボタンホールが設けられ、または前記キセの内側の布のみに複数の隠し穴かがりが設けられ、前記インナーウエストベルトの表側に複数のボタンが取付けられて、前記ボタンホールまたは前記隠し穴かがりに前記ボタンが嵌められ或いは外されることによって、前記衣服の裏側に着脱可能であるものである。
【００２２】
請求項１５の発明にかかる伸縮性インナーウエストベルトは、請求項１乃至請求項１４のいずれか１つの構成において、前記衣服のウエストベルトの裏側に取付けられた着脱具の一方と前記衣服の表身頃の間に当て布を縫込むことによって前記衣服に前記インナーウエストベルトを取付けて着用したときに前記衣服の表身頃に前記着脱具のアタリ（突出）が出ることを防いだものである。
【００２３】
請求項１６の発明にかかる伸縮性インナーウエストベルトは、請求項１５の構成において、前記当て布は前記衣服のウエストベルトの裏布を延長したものである。
【００２４】
請求項１７の発明にかかる伸縮性インナーウエストベルトは、請求項１乃至請求項１４のいずれか１つの構成において、前記インナーウエストベルトの表側に取付けられた着脱具の一方のさらに表側に当て布を縫付けることによって前記衣服に前記インナーウエストベルトを取付けて着用したときに前記衣服の表身頃に前記着脱具のアタリが出ることを防いだものである。
【００２５】
請求項１８の発明にかかる伸縮性インナーウエストベルトは、請求項１乃至請求項１７のいずれか１つの構成において、前記伸縮性の素材は、前記ウエスト部分の周方向に伸びて略平行に並べられた複数のゴムテープを含むものである。
【００２６】
請求項１９の発明にかかる伸縮性インナーウエストベルトは、請求項１乃至請求項１７のいずれか１つの構成において、前記伸縮性の素材は、少なくとも前記ウエスト部分の周方向に伸縮自在な生地であるものである。
【００２７】
請求項２０の発明にかかる伸縮性インナーウエストベルトは、請求項１乃至請求項１９のいずれか１つの構成において、前記ウエスト部分の１箇所において外周長さ調節可能に接続されているものである。
【００２８】
請求項２１の発明にかかる伸縮性インナーウエストベルトは、請求項１乃至請求項１７のいずれか１つの構成において、前記ウエスト部分を引き締めることができるインナー用のニット生地で作られたガードル形のもので、前中心にガードル形インナーウエストベルトを開閉自在なファスナーが取付けられているものである。
【００２９】
請求項２２の発明にかかる伸縮性インナーウエストベルトは、請求項２１の構成において、前記ウエスト部分の弛んだ部分及び出っ張った部分に当る部分には前記ニット生地を複数枚重ねたものである。
【００３０】
請求項２３の発明にかかる伸縮性インナーウエストベルトは、衣服の下のウエスト部分に着用するインナーウエストベルトであって、伸縮性の素材からなり、前記ウエスト部分を引き締めることができ、前記衣服のウエストベルトの裏側にＺナップの凸側または凹側が所定間隔で複数個取付けられたＺナップテープ、或いは複数の凸側または凹側のドット釦が付いたドット・スナップテープが両脇と前中心近傍を除いて縫付けられ、前記インナーウエストベルトの上端或いは表側に前記Ｚナップの凹側または凸側が所定間隔で複数個取付けられたＺナップテープ或いは複数の凹側または凸側のドット釦が付いたドット・スナップテープが両脇と前中心近傍を除いて縫付けられ、前記衣服のウエストベルトの裏側の前記Ｚナップの凸側または凹側が前記インナーウエストベルトの上端の前記Ｚナップの凹側または凸側と嵌合させられ或いは取外されることによって、若しくは前記衣服のウエストベルトの裏側の前記凸側または凹側のドット釦に前記インナーウエストベルトの表側の前記凹側または凸側のドット釦が嵌められ或いは取外されることによって、前記衣服の裏側に着脱可能であり、前記Ｚナップテープまたは前記ドット・スナップテープは伸縮性のない素材からなるものである。
【００３１】
請求項２４の発明にかかる伸縮性インナーウエストベルトは、請求項２３の構成において、前記Ｚナップテープまたは前記ドット・スナップテープは伸縮性のある素材からなるものである。
【００３２】
請求項２５の発明にかかる伸縮性インナーウエストベルトは、請求項２３または請求項２４の構成において、前記Ｚナップテープまたは前記ドット・スナップテープが縫付けられていない前記衣服のウエストベルトの裏側の両脇と前記インナーウエストベルトの上端または表側の両脇に各１個ずつのＺナップの凸側または凹側或いは凸側または凹側のドット釦が取付けられているものである。
【発明の効果】
【００３３】
請求項１の発明にかかる伸縮性インナーウエストベルトは、着脱具としてＺナップを用いているが、Ｚナップは極く小型の樹脂製の着脱具で嵌合させた状態でも平坦なので、伸縮性インナーウエストベルトの厚さに埋もれてしまって肌を点状に圧迫することがなく、金属製の部品の冷感も与えない。したがって、肌に直接触れることがあったとしても、着用者は全く気にならず、長時間着用しても肌に跡が付くこともない。
【００３４】
このようにして、衣服の裏側に着脱可能であって、着脱具が肌を刺激することがなく、快適に長時間着用することができる伸縮性インナーウエストベルトとなる。
【００３５】
請求項２の発明にかかる伸縮性インナーウエストベルトにおけるランジェリーフックアイテープは、布製のテープに複数の金属製の雄フックまたは雌フックが一定間隔で取付けられたものである。したがって、雄フックを雌フックに係合させた状態で肌に触れると、金属特有の冷感と圧迫感を受けることになるが、本発明においてはランジェリーフックアイテープの一方がインナーウエストベルトの表側に取付けられているため、雄フックまたは雌フックが直接肌に触れることがなく、肌が部分的に圧迫されることもない。
【００３６】
このようにして、衣服の裏側に着脱可能であって、着脱具が肌に直接当ることがなく、快適に長時間着用できる伸縮性インナーウエストベルトとなる。
【００３７】
請求項３の発明にかかる伸縮性インナーウエストベルトは、複数の糸ループ或いは複数のボタンまたは複数の雄型スプリングホックがインナーウエストベルトの表側に取付けられているため、ボタンまたは雄型スプリングホックが直接肌に触れることがなく、肌が部分的に圧迫されることもない。
【００３８】
このようにして、衣服の裏側に着脱可能であって、着脱具が肌に直接当ることがなく、快適に長時間着用できる伸縮性インナーウエストベルトとなる。
【００３９】
請求項４の発明にかかる伸縮性インナーウエストベルトは、複数のルーパー或いは複数のボタンまたは複数の雄型スプリングホックがインナーウエストベルトの表側に取付けられているため、ボタンまたは雄型スプリングホックが直接肌に触れることがなく、肌が部分的に圧迫されることもない。
【００４０】
このようにして、衣服の裏側に着脱可能であって、着脱具が肌に直接当ることがなく、快適に長時間着用できる伸縮性インナーウエストベルトとなる。
【００４１】
請求項５の発明にかかる伸縮性インナーウエストベルトは、複数の表地バイアスループまたは裏地バイアスループ或いは複数のボタンまたは複数の雄型スプリングホックがインナーウエストベルトの表側に取付けられているため、ボタンまたは雄型スプリングホックが直接肌に触れることがなく、肌が部分的に圧迫されることもない。
【００４２】
このようにして、衣服の裏側に着脱可能であって、着脱具が肌に直接当ることがなく、快適に長時間着用できる伸縮性インナーウエストベルトとなる。
【００４３】
請求項６の発明にかかる伸縮性インナーウエストベルトは、複数のチイまたは複数のボタンがインナーウエストベルトの表側に取付けられているため、ボタンが直接肌に触れることがなく、肌が部分的に圧迫されることもない。
【００４４】
このようにして、衣服の裏側に着脱可能であって、着脱具が肌に直接当ることがなく、快適に長時間着用できる伸縮性インナーウエストベルトとなる。
【００４５】
請求項７の発明にかかる伸縮性インナーウエストベルトは、複数のボタンホールが設けられた布テープまたはゴムテープ或いは複数のボタンがインナーウエストベルトの表側に取付けられているため、ボタンが直接肌に触れることがなく、肌が部分的に圧迫されることもない。
【００４６】
このようにして、衣服の裏側に着脱可能であって、着脱具が肌に直接当ることがなく、快適に長時間着用できる伸縮性インナーウエストベルトとなる。
【００４７】
請求項８の発明にかかる伸縮性インナーウエストベルトは、複数の雌型または雄型スプリングホックがインナーウエストベルトの表側に取付けられているため、雌型または雄型スプリングホックが直接肌に触れることがなく、肌が部分的に圧迫されることもない。
【００４８】
このようにして、衣服の裏側に着脱可能であって、着脱具が肌に直接当ることがなく、快適に長時間着用できる伸縮性インナーウエストベルトとなる。
【００４９】
請求項９の発明にかかる伸縮性インナーウエストベルトは、複数の凸側または凹側のドット釦或いは複数の凸側または凹側のドット釦が付いたドット・スナップテープがインナーウエストベルトの表側に取付けられているため、凸側または凹側のドット釦が直接肌に触れることがなく、肌が部分的に圧迫されることもない。
【００５０】
このようにして、衣服の裏側に着脱可能であって、着脱具が肌に直接当ることがなく、快適に長時間着用できる伸縮性インナーウエストベルトとなる。
【００５１】
請求項１０の発明にかかる伸縮性インナーウエストベルトにおけるオープンファスナーとしては、複数の短めのオープンファスナーを取付けても良いし、インナーウエストベルトの後ろ中心から左右に前まで伸びる２個のオープンファスナーとしても良いし、インナーウエストベルトを一周する１個の長いオープンファスナーを取付けても良い。このように、オープンファスナーの雄側または雌側がインナーウエストベルトの表側に取付けられているため、オープンファスナーの雄側または雌側が直接肌に触れることがなく、肌が部分的に圧迫されることもない。
【００５２】
このようにして、衣服の裏側に着脱可能であって、着脱具が肌に直接当ることがなく、快適に長時間着用できる伸縮性インナーウエストベルトとなる。
【００５３】
請求項１１の発明にかかる伸縮性インナーウエストベルトは、複数のホールの付いたレース生地或いは複数のボタンまたは複数の雄型スプリングホックがインナーウエストベルトの表側に取付けられているため、ボタンまたは雄型スプリングホックが直接肌に触れることがなく、肌が部分的に圧迫されることもない。
【００５４】
このようにして、衣服の裏側に着脱可能であって、着脱具が肌に直接当ることがなく、快適に長時間着用できる伸縮性インナーウエストベルトとなる。
【００５５】
請求項１２の発明にかかる伸縮性インナーウエストベルトは、複数の接着布の軟らかい側または硬い側がインナーウエストベルトの表側に取付けられているため、接着布の軟らかい側または硬い側が直接肌に触れることがなく、肌が部分的に圧迫されることもない。
【００５６】
このようにして、衣服の裏側に着脱可能であって、着脱具が肌に直接当ることがなく、快適に長時間着用できる伸縮性インナーウエストベルトとなる。
【００５７】
請求項１３の発明にかかる伸縮性インナーウエストベルトは、衣服のウエストベルトの裏側にキセを設けて着脱具の一方を隠すことによって、インナーウエストベルトを着用しないときには普通の衣服（紳士用ズボン、婦人用パンツ、スカート等）に見え、インナーウエストベルトを装着したときには、着脱具が隠れて見栄えが良くなる。さらに、キセ分の布地２枚が間に挟まることによって、着脱具の肌への当りもより一層少なくなり、快適に長時間着用できる伸縮性インナーウエストベルトとなる。
【００５８】
請求項１４の発明にかかる伸縮性インナーウエストベルトは、キセを利用することによって、ボタンホール用の布テープ、ゴムテープを縫付けなくても、直接キセを貫通させて複数のボタンホールを設けることができる。さらに、キセの内側の布のみに複数の隠し穴かがりを設けることによって、ボタンホール（穴かがり）を隠すことができる。
【００５９】
これによって、インナーウエストベルトを着用しないときには普通の衣服（紳士用ズボン、婦人用パンツ、スカート等）に見え、インナーウエストベルトを装着したときには、ボタンが隠れて見栄えが良くなる。さらに、キセ分の布地２枚が間に挟まることによって、ボタンの肌への当りもより一層少なくなり、快適に長時間着用できる伸縮性インナーウエストベルトとなる。
【００６０】
請求項１５の発明にかかる伸縮性インナーウエストベルトは、衣服のウエストベルトの裏側に取付けられた着脱具の一方と、衣服の表身頃の間に当て布を縫込むことによって、衣服にインナーウエストベルトを取付けて着用したときに、衣服の表身頃に着脱具のアタリが出ることを防いでいる。即ち、衣服の表身頃の生地が薄くても、適切な厚さの当て布をその下に縫込むことによって、Ｚナップ、ボタン、スプリングホック、ドット釦、ファスナー等の着脱具の形状が表から突出して見えるのを防止している。なお、当て布の素材としては、メッシュ・裏地・共布等、各種の素材を用いることができる。
【００６１】
このようにして、衣服の裏側に着脱可能であって、種々の着脱具が肌に直接当ることがなく、快適に長時間着用することができるとともに着脱具のアタリが表身頃に表れて美観を損ねるのを防ぐことができる伸縮性インナーウエストベルトとなる。
【００６２】
請求項１６の発明にかかる伸縮性インナーウエストベルトは、当て布として衣服のウエストベルトの裏布を延長したものを用いている。即ち、ウエストベルトの裏布を適当な長さで折り返して、衣服のウエストベルトの裏側に取付けられた着脱具の一方と衣服の表身頃の間に挿入し、必要な場合には折り返して二重にして衣服のウエストベルト全体を縫付ける。これによって、部材の数が少なくなるので、製造がより容易になる。
【００６３】
このようにして、より容易に着脱具のアタリが表身頃に表れて美観を損ねるのを防ぐことができる伸縮性インナーウエストベルトとなる。
【００６４】
請求項１７の発明にかかる伸縮性インナーウエストベルトは、インナーウエストベルトの表側に取付けられた着脱具の一方のさらに表側に当て布を縫付けることによって、衣服にインナーウエストベルトを取付けて着用したときに、衣服の表身頃に着脱具のアタリが出ることを防いでいる。即ち、インナーウエストベルトの表側に取付けられた着脱具の一方のさらに表側に縫付けられた当て布によって、衣服に取付けられた着脱具と嵌合したときに着脱具の全体の表側をカバーして、衣服の表身頃に着脱具のアタリが出るのを防ぐものである。
【００６５】
このようにして、衣服の裏側に着脱可能であって、種々の着脱具が肌に直接当ることがなく、快適に長時間着用することができるとともに着脱具のアタリが表身頃に表れて美観を損ねるのを防ぐことができる伸縮性インナーウエストベルトとなる。
【００６６】
請求項１８の発明にかかる伸縮性インナーウエストベルトは、請求項１乃至請求項１７のいずれか１つの構成において、前記伸縮性の素材は、前記ウエスト部分の周方向に伸びて略平行に並べられた複数のゴムテープを含むものである。
【００６７】
したがって、着脱具が直接肌に触れることがなく、肌が部分的に圧迫されることもないことに加えて、ウエスト部分の周方向に伸縮自在であり、着用する人のウエスト周りを強力に引き締めてウエストラインを美しくすることができる。また、衣服の裏側に密着することによって衣服のウエスト部分の生地も強力に引き締められることになり、衣服のベルト部の上からベルトをきつく締めてもベルト部の周りに皺、撚れ等が生じることがない。さらに、長期間継続して着用したときのウエストサイズ縮小の効果もより顕著に得られることになる。
【００６８】
このようにして、衣服の裏側に着脱可能であって、着脱具が肌に直接当ることがなく、快適に長時間着用でき、着用する人のウエストラインをより強力に引き締めるとともに衣服のベルト部の上からベルトをきつく締めてもベルト部の周りに皺、撚れ等が生じることなく見栄えを良好に保つことができる伸縮性インナーウエストベルトとなる。
【００６９】
請求項１９の発明にかかる伸縮性インナーウエストベルトは、請求項１乃至請求項１７のいずれか１つの構成において、前記伸縮性の素材は、少なくとも前記ウエスト部分の周方向に伸縮自在な生地であるものである。
【００７０】
したがって、着脱具が直接肌に触れることがなく、肌が部分的に圧迫されることもないことに加えて、ウエスト部分の周方向に伸縮自在であり、着用する人のウエスト周りをソフトに引き締めてウエストラインを美しくすることができる。また、衣服の裏側に密着することによって衣服のウエスト部分の生地も引き締められることになり、衣服のベルト部の上からベルトをきつく締めてもベルト部の周りに皺、撚れ等が生じることがない。
【００７１】
このようにして、衣服の裏側に着脱可能であって、着脱具が肌に直接当ることがなく、快適に長時間着用でき、着用する人のウエストラインをソフトに引き締めるとともに衣服のベルト部の上からベルトをきつく締めてもベルト部の周りに皺、撚れ等が生じることなく見栄えを良好に保つことができる伸縮性インナーウエストベルトとなる。
【００７２】
請求項２０の発明にかかる伸縮性インナーウエストベルトは、請求項１乃至請求項１９のいずれか１つの構成において、前記ウエスト部分の１箇所において外周長さ調節可能に接続されているものである。
【００７３】
したがって、着脱具が直接肌に触れることがなく、肌が部分的に圧迫されることもないことに加えて、一周つながっているベルトよりも着脱が容易であり、また外周長さ調節が可能であることから締め付け強さも自在に調節できる。これによって、着用する人のウエスト周りを任意の強さで引き締めてウエストラインを美しくすることができる。また、衣服の裏側に密着することによって衣服のウエスト部分の生地も任意の強さで引き締められることになり、衣服のベルト部の上からベルトをきつく締めてもベルト部の周りに皺、撚れ等が生じることがない。
【００７４】
なお、外周長さ調節可能に接続されている部分には、長さ調節・接続が容易にできるように着脱具を取付けない方がより好ましい。
【００７５】
このようにして、衣服の裏側に着脱可能であって、着脱具が肌に直接当ることがなく、快適に長時間着用でき、着脱が容易で、着用する人のウエストラインを任意の強さで引き締めるとともに衣服のベルト部の上からベルトをきつく締めてもベルト部の周りに皺、撚れ等が生じることなく見栄えを良好に保つことができる伸縮性インナーウエストベルトとなる。
【００７６】
請求項２１の発明にかかる伸縮性インナーウエストベルトは、請求項１乃至請求項１７のいずれか１つの構成において、前記ウエスト部分を引き締めることができるインナー用のニット生地で作られたガードル形のもので、前中心にガードル形インナーウエストベルトを開閉自在なファスナーが取付けられているものである。
【００７７】
したがって、着脱具が直接肌に触れることがなく、肌が部分的に圧迫されることもないことに加えて、前中心のファスナーを開いて着用することによって着用するのが容易であり、着用後前中心のファスナーを閉じることによってウエスト部分を引き締める効果も大きく保たれる。
【００７８】
このようにして、着用するのが容易でウエストラインを美しく引き締めるとともに、衣服の裏側に着脱可能であって、種々の着脱具が肌に直接当ることがなく、快適に長時間着用することができるガードル形の伸縮性インナーウエストベルトとなる。
【００７９】
請求項２２の発明にかかる伸縮性インナーウエストベルトは、請求項２１の構成において、前記ウエスト部分の弛んだ部分及び出っ張った部分に当る部分には前記ニット生地を複数枚重ねたものである。
【００８０】
これによって、腹まわりからお尻、後ろ太もものあたり等、弛んだ部分或いは出っ張った部分を、生地を重ねることによって強力に締めることができる。
【００８１】
このようにして、着用するのが容易で引き締める効果も大きく、衣服の裏側に着脱可能であって、種々の着脱具が肌に直接当ることがなく、快適に長時間着用することができるガードル形の伸縮性インナーウエストベルトとなる。
【００８２】
請求項２３の発明にかかる伸縮性インナーウエストベルトにおいては、着脱具としてＺナップの凸側または凹側が所定間隔で、伸縮性のないテープに複数個取付けられたＺナップテープ、或いは複数の凸側または凹側のドット釦が付いたドット・スナップテープを用いている。かかるＺナップテープ或いはドット・スナップテープを衣服のウエストベルトの裏側とインナーウエストベルトの上端または表側に両脇と前中心近傍を除いて縫付けることによって、Ｚナップの凸側を凹側に嵌め込んで或いは凸側のドット釦を凹側のドット釦に嵌合して衣服を着用したとき、衣服が伸縮性のある素材でできていても（特に、婦人用パンツには多い）、ベルト回りが締め付けられて腹部が出ることがなく、美しいボディラインができる。そして、押えられた贅肉は伸縮性のないＺナップテープ或いはドット・スナップテープが取付けられていない両脇へ逃げるので、比較的楽に腹部を引き締めることができる。
【００８３】
このようにして、衣服が伸縮性のある素材でできている場合でも、腹部を押えて美しいボディラインができる伸縮性インナーウエストベルトとなる。
【００８４】
請求項２４の発明にかかる伸縮性インナーウエストベルトにおいては、着脱具として伸縮性のあるＺナップテープ或いはドット・スナップテープを用いている。したがって、衣服が伸縮性のある素材でできている場合には腹部に贅肉のある人は腹部が出てしまい、見栄えが悪くなる。しかし、多少見栄えが悪くても楽にインナーウエストベルトでウエストから下の部分を引き締めたいという要望もあるので、そのような人にとっては打って付けのインナーウエストベルトとなる。
【００８５】
このようにして、衣服が伸縮性のある素材でできている場合に、腹部を締め付けることなく楽にウエストから下の部分を引き締めることができる伸縮性インナーウエストベルトとなる。
【００８６】
請求項２５の発明にかかる伸縮性インナーウエストベルトにおいては、Ｚナップテープ或いはドット・スナップテープが取付けられていない両脇の部分を１対のＺナップまたはドット釦で衣服に取付けるようにしている。衣服の両脇の部分を完全に自由にしてしまうと、衣服の両脇とインナーウエストベルトの間が開いて見苦しくなる恐れがある。そこで、Ｚナップテープ或いはドット・スナップテープが取付けられていない両脇の部分を１対のＺナップまたはドット釦で衣服とインナーウエストベルトを接続することによって、衣服の両脇が開くのを防ぐことができる。
【００８７】
このようにして、Ｚナップテープ或いはドット・スナップテープが取付けられていない両脇の部分を接続することによって、衣服の両脇が開くのを防いで見栄えを良くすることができる伸縮性インナーウエストベルトとなる。
【発明を実施するための最良の形態】
【００８８】
以下、本発明の実施の形態について、図面を参照しつつ説明する。
【００８９】
実施の形態１
まず、本発明の実施の形態１について、図１及び図２を参照して説明する。本発明の実施の形態１は、本発明の伸縮性インナーウエストベルトを主に紳士用ズボンに適用した場合を例示するものである。本発明の伸縮性インナーウエストベルトは、主に婦人用ズボン（婦人用パンツ）に適用されるものであるが、以下に示すように、紳士用ズボンにも適用することができる。
【００９０】
図１（ａ）は本発明の実施の形態１にかかる伸縮性インナーウエストベルトの接続を外して伸ばした状態を示す全体正面図、（ｂ）は伸縮性インナーウエストベルトの両端を接続して着用状態としたときの正面から見た全体を示す斜視図、（ｃ）は着用状態としたときの背面のみを示す背面図である。図２（ａ）は本発明の実施の形態１にかかる伸縮性インナーウエストベルトをズボンの裏側に着脱自在に接続するＺナップの構造を示す説明図、（ｂ）は伸縮性インナーウエストベルトをズボンの裏側に装着した状態を示す斜視図である。
【００９１】
図１に示されるように、本実施の形態１にかかる伸縮性インナーウエストベルト１は、略平行に並べられた複数のゴムテープ２をゴムテープ２の伸びる方向（水平方向）と略垂直な方向（上下方向）に伸びる細い合成樹脂製の繊維で繋ぎ合わせた伸縮性の素材としてのゴムベルト生地３を主体として構成されている。したがって、このゴムベルト生地３は、上下方向には合成樹脂製の繊維で支持されているため伸縮性がなく形状を維持し、水平方向にはゴムテープ２の弾力性で伸縮自在となっている。ゴムベルト生地３は、全部で７つの部分に分割されており、これらの７つの部分３ａ，３ｂ，３ｃ，３ｄ，３ｅ，３ｆ，３ｇがそれぞれ接続されて伸縮性インナーウエストベルト１を形成している。これらの５箇所の接続部分５ａ，５ｂ，５ｃ，５ｄ，５ｅはそれぞれ布テープでカバーされて、布テープの中には型崩れを防ぐため支持部材としての金属製のコイルボーンが挿入されている。
【００９２】
接続されたゴムベルト生地３の左端の部分３ａの表側には、部分３ａ全体を覆って接着布（マジックテープ（登録商標））４の軟らかい側４Ａが縫い付けられている。ゴムベルト生地３の左端の部分３ａは縦の寸法が約１０ｃｍ、横の寸法が約８ｃｍなので、接着布４の軟らかい側４Ａもこれとほぼ同じ大きさである。一方、ゴムベルト生地３の右端の部分３ｅの右端の裏側には、接着布４の硬い側４Ｂが縫い付けられている。接着布４の硬い側４Ｂは、縦の寸法が約１０ｃｍ、横の寸法が約２ｃｍである。したがって、この接着布４の硬い側４Ｂを約８ｃｍの横幅を有する接着布４の軟らかい側４Ａのどの部分に接着させて止めるかによって、伸縮性インナーウエストベルト１の腰周り寸法が約８ｃｍの範囲で調節できることになる。
【００９３】
接続されたゴムベルト生地３の外周は、ニットパイピング６によって包まれて形を整えられる。そして、伸縮性インナーウエストベルト１の上端のニットパイピング６には、ズボンの裏側（内側）に接続するためのＺナップ７の凸側７Ａが、ズボンの前側に対応する部分３ｅの上端を除いて、所定の間隔で取り付けられている。
【００９４】
接着布４の硬い側４Ｂを軟らかい側４Ａに接着して、着用状態とした伸縮性インナーウエストベルト１を正面から見たのが図１（ｂ）である。図１（ｂ）に示されるように、伸縮性インナーウエストベルト１の前面までズボンの裏側に固定してしまうと接着布４による腰周り寸法の調節が困難になるため、ゴムベルト生地３の部分３ｅにはＺナップ７の凸側７Ａが取り付けられていない。さらに、ゴムベルト生地３の部分３ｅの上には、下方に伸びてＶ字形をなすゴムベルト生地３の部分３ｆ，３ｇが縫い付けられて二重構造になっている。
【００９５】
部分３ｆ，３ｇの接続部分５ｅは下腹部に当たる部分であるため、引き締め効果を高めるために、この接続部分５ｅのみ金属製のコイルボーンではなく厚いベルト芯素材からなる支持部材としての硬い芯が挿入されている。このように伸縮性インナーウエストベルト１の前面が、上腹部を包むゴムベルト生地３の部分３ｅと、下腹部を包むゴムベルト生地３の部分３ｆ，３ｇの二重構造になっていることから、着用する人の腹部全体が強力に引き締められてウエストラインが美しく整えられる。
【００９６】
また、図１（ｃ）に示されるように、背面側のゴムベルト生地３の部分３ｂ，３ｃ，３ｄのニットパイピング６に包まれた下端部が細かい波形のラインになっていることによって、人によって異なる腰の丸み及び腰周り寸法に対応することができ、あらゆる体形にフィットするものとなる。
【００９７】
次に、伸縮性インナーウエストベルト１の実際の使用方法について、図２を参照して説明する。伸縮性インナーウエストベルト１は、Ｚナップ７によってウエストサイズ調節機構付ズボン（以下、単に「ズボン」ともいう。）１５の裏側（内側）に着脱可能に取り付けられる。図２（ａ）に示されるように、Ｚナップ７は合成樹脂製の凸側７Ａと凹側７Ｂとからなり、凸側７Ａの膨らんだ先端部７ａを凹側７Ｂの下面の穴（図示せず）から押し込むことによって、凸側７Ａの膨らんだ先端部７ａが凹側７Ｂの側面の貫通穴７ｂにはまり込んで接続されるものである。Ｚナップ７の凸側７Ａは、前述の如く伸縮性インナーウエストベルト１の上端のニットパイピング６に取り付けられ、Ｚナップ７の凹側７Ｂは布地テープ１４に取り付けられて、布地テープ１４は、図２（ｂ）に示されるように、ズボン１５のベルト部１６の裏側に縫い付けられる。
【００９８】
そして、ズボン１５のファスナーを全開にして伸縮性インナーウエストベルト１を接着布４を外した状態でズボン１５の中に入れ、Ｚナップ７の凸側７Ａを対応するＺナップ７の凹側７Ｂに嵌め込んで、ズボン１５の裏側に伸縮性インナーウエストベルト１が装着される。この状態で、着用する人がズボン１５をはいて、伸縮性インナーウエストベルト１の接着布４を好みの締め付け具合のところで止める。そして、伸縮性インナーウエストベルト１によって引き締められたウエストサイズに合うように、２つの鉤部を有する鉤構成体１７と２つの受部を有する受構成体１８からなる掛止金具によって、ズボン１５のウエストサイズを調節する。
【００９９】
このようにズボン１５の下に伸縮性インナーウエストベルト１を着用することによって、ウエスト部分が引き締められてウエストラインが美しく保たれる。そして、ウエストサイズ調節機構付ズボン１５においては、引き締められたウエストサイズに合わせてウエストサイズを縮めることができるので、ズボン１５が着用する人のウエストサイズにぴったりフィットし、ベルト部１６の周りに皺、撚れ等が全く生じることなく見栄えを良好に保つことができる。そして、ズボン１５のウエストラインと伸縮性インナーウエストベルト１のウエストラインがずれることがないので、かかる効果を確実に持続させられる。
【０１００】
このようにして、本実施の形態１の伸縮性インナーウエストベルト１においては、着用する人のウエストラインを美しく引き締めるとともに、ズボン１５のベルト部１６の上からベルトをきつく締めてもベルト部１６の周りに皺、撚れ等が全く生じることなく見栄えを良好に保つことができる。また、本実施の形態１の伸縮性インナーウエストベルト１を長期間継続して着用することによって、ウエストラインが継続的に引き締められるため、ウエストサイズを縮小する効果も期待できる。
【０１０１】
さらに、Ｚナップ７によって伸縮性インナーウエストベルト１をズボン１５から着脱自在としたことによって、ズボン１５単独でも着用することができるとともに、伸縮性インナーウエストベルト１のみを洗濯することも可能となる。そして、本実施の形態１の伸縮性インナーウエストベルト１に伸縮性の素材として使用されたゴムベルト生地３は、耐久性に優れているので、長期間使用してもウエストラインの引き締め効果が低下することがない。
【０１０２】
ここで、本実施の形態１の伸縮性インナーウエストベルト１においては、着脱具としてＺナップ７を用いているが、Ｚナップ７は極く小型の樹脂製の着脱具で嵌合させた状態でも平坦なので、伸縮性インナーウエストベルト１の厚さに埋もれてしまって肌を点状に圧迫することがなく、金属製の部品の冷感も与えない。したがって、肌に直接触れることがあったとしても、着用者は全く気にならず、長時間着用しても肌に跡が付くこともない。このようにして、ズボン１５の裏側に着脱可能であって、Ｚナップ７が肌を刺激することもなく、快適に長時間着用することができる。
【０１０３】
本実施の形態１においては、伸縮性インナーウエストベルト１をウエストサイズ調節機構付ズボン１５に装着して使用した場合について説明したが、本実施の形態１の伸縮性インナーウエストベルト１は、ウエストサイズ調節機構のない通常のズボンに装着してもその効果を発揮できる。即ち、ウエスト部分が引き締められてウエストラインが美しく保たれるとともに、伸縮性のゴムベルト生地３からなる伸縮性インナーウエストベルト１がズボンの裏側に密着しているために、ズボンのウエスト部分の生地も引き締められることになり、ズボンのベルト部の上からベルトをきつく締めてもベルト部の周りに皺、撚れ等が生じることがない。そして、ズボンのウエストラインと伸縮性インナーウエストベルト１のウエストラインがずれることがないので、かかる効果を確実に持続させられる。
【０１０４】
実施の形態２
次に、本発明の実施の形態２について、図３を参照して説明する。図３は本発明の実施の形態２にかかる伸縮性インナーウエストベルトをパンツ（ズボン）の裏側に装着する方法を示す説明図である。
【０１０５】
図３に示されるように、本実施の形態２の伸縮性インナーウエストベルト１の本体は、実施の形態１と同一であり、伸縮性の素材としてのゴムベルト生地３を主体として構成されたものである（ゴムテープ２の図示は省略）。異なるのは、ズボン１５のウエストベルト１６の裏側１６ａに着脱するための着脱具がＺナップ７ではない点である。即ち、ズボン１５のウエストベルト１６の裏側１６ａには、一定間隔で複数の雌フック２０ａが取付けられたランジェリーフックアイテープの雌側２０Ａが縫付けられており、伸縮性インナーウエストベルト１の表側１ａには、前記複数の雌フック２０ａと同一間隔で複数の雄フック２０ｂが取付けられたランジェリーフックアイテープの雄側２０Ｂが縫付けられている。
【０１０６】
なお、実施の形態１と同様に、伸縮性インナーウエストベルト１の前面までズボン１５の裏側に固定してしまうと接着布４による腰周り寸法の調節が困難になるため、伸縮性インナーウエストベルト１の前面には、ランジェリーフックアイテープの雄側２０Ｂが縫付けられているが、前中心を止めて、ズボンを佩いて、その後前面の雄フック２０ｂを外して伸縮性インナーウエストベルトを締め直しても良いし、前中心を止めずにひらひらのままズボンを佩いても良いが、前者の方が佩き易い。
【０１０７】
そして、伸縮性インナーウエストベルト１をズボン１５に装着する際には、複数の雄フック２０ｂをそれぞれ対応する位置の複数の雌フック２０ａに係合させることによって、簡単に素早く装着することができる。ここで、ランジェリーフックアイテープの雄側２０Ｂは伸縮性インナーウエストベルト１の表側１ａに縫付けられているので、複数の雄フック２０ｂを複数の雌フック２０ａに係合させて、ズボン１５を佩くとともに伸縮性インナーウエストベルト１をウエスト周りに巻いても、雄フック２０ｂまたは雌フック２０ａが肌に直接当ることはなく、肌を圧迫することもない。したがって、快適に長時間着用することができる。
【０１０８】
なお、本実施の形態２とは逆に、ズボン１５のウエストベルト１６の裏側１６ａにランジェリーフックアイテープの雄側２０Ｂを縫付け、伸縮性インナーウエストベルト１の表側１ａにランジェリーフックアイテープの雌側２０Ａを縫付けても同様な作用効果が得られる。
【０１０９】
実施の形態３
次に、本発明の実施の形態３について、図４を参照して説明する。図４（ａ）は本発明の実施の形態３にかかる伸縮性インナーウエストベルトをパンツ（ズボン）の裏側に装着する方法を示す説明図、（ｂ）は変形例を示す図、（ｃ）は別の変形例を示す図である。
【０１１０】
なお、図４から以降、図１１までの図においては、伸縮性インナーウエストベルトの上端の一部と、衣服としての紳士用ズボンのウエストベルト裏側の一部のみを示し、かつ紳士用ズボンのウエストベルト表側と身頃を取り去ってウエストベルト裏側のみとし、その裏面と伸縮性インナーウエストベルトの表面を表側から見たところを示している。
【０１１１】
図４（ａ）に示されるように、本実施の形態３にかかる伸縮性インナーウエストベルトの表側１ａには間隔をおいて複数のボタン２４が取付けられている。一方、ズボンのウエストベルトの裏側１６ａには、複数のボタン２４と対応する位置に複数の糸ループ２１が取付けられている。そして、本実施の形態３にかかる伸縮性インナーウエストベルトをズボンのウエストベルトの裏側１６ａに装着する際には、ボタン２４をそれぞれ対応する位置の糸ループ２１に嵌めれば良いので、簡単に素早く装着することができる。
【０１１２】
ここで、複数のボタン２４は伸縮性インナーウエストベルトの表側１ａに取付けられているので、複数のボタン２４を複数の糸ループ２１に嵌めて、ズボンを佩くとともに伸縮性インナーウエストベルトをウエスト周りに巻いても、ボタン２４が肌に直接当ることはなく、肌を圧迫することもない。したがって、快適に長時間着用することができる。
【０１１３】
次に、本実施の形態３の変形例について、図４（ｂ）を参照して説明する。図４（ｂ）に示されるように、図４（ａ）との相違点はウエストベルトの裏側１６ａに糸ループ２１の代わりにルーパー２２が取付けられている点のみである。したがって、伸縮性インナーウエストベルトをズボンのウエストベルトの裏側１６ａに装着する際には、ボタン２４をそれぞれ対応する位置のルーパー２２に嵌めれば良いので、簡単に素早く装着することができる。
【０１１４】
次に、本実施の形態３の別の変形例について、図４（ｃ）を参照して説明する。図４（ｃ）に示されるように、図４（ａ）との相違点はウエストベルトの裏側１６ａに糸ループ２１の代わりに表地バイアスループまたは裏地バイアスループ２３が取付けられている点のみである。したがって、伸縮性インナーウエストベルトをズボンのウエストベルトの裏側１６ａに装着する際には、ボタン２４をそれぞれ対応する位置の表地バイアスループまたは裏地バイアスループ２３に嵌めれば良いので、簡単に素早く装着することができる。
【０１１５】
なお、本実施の形態３においても、実施の形態１と同様に、伸縮性インナーウエストベルトの前面までズボンの裏側に固定してしまうと接着布による腰周り寸法の調節が困難になるため、伸縮性インナーウエストベルトの前面には、ボタン２４が取付けられているが、前中心を止めて、ズボンを佩いて、その後前面のボタン２４を外して伸縮性インナーウエストベルトを締め直しても良いし、前中心を止めずにひらひらのままズボンを佩いても良いが、前者の方が佩き易い。
【０１１６】
また、本実施の形態３とは逆に、ズボンのウエストベルトの裏側１６ａにボタン２４を取付け、伸縮性インナーウエストベルトの表側１ａに糸ループ２１，ルーパー２２，表地バイアスループまたは裏地バイアスループ２３を（ボタン２４を嵌めたときにボタン２４が肌に当らない位置にくるように）取付けても同様な作用効果が得られる。
【０１１７】
実施の形態４
次に、本発明の実施の形態４について、図５を参照して説明する。図５（ａ）は本発明の実施の形態４にかかる伸縮性インナーウエストベルトをパンツ（ズボン）の裏側に装着する方法を示す説明図、（ｂ）は変形例を示す図、（ｃ）は別の変形例を示す図である。
【０１１８】
図５（ａ）に示されるように、本実施の形態４にかかる伸縮性インナーウエストベルトの表側１ａには間隔をおいて複数の雄型スプリングホック２５が取付けられている。一方、ズボンのウエストベルトの裏側１６ａには、複数の雄型スプリングホック２５と対応する位置に複数の糸ループ２１が取付けられている。そして、本実施の形態４にかかる伸縮性インナーウエストベルトをズボンのウエストベルトの裏側１６ａに装着する際には、雄型スプリングホック２５をそれぞれ対応する位置の糸ループ２１に嵌めれば良いので、簡単に素早く装着することができる。
【０１１９】
ここで、複数の雄型スプリングホック２５は伸縮性インナーウエストベルトの表側１ａに取付けられているので、複数の雄型スプリングホック２５を複数の糸ループ２１に嵌めて、ズボンを佩くとともに伸縮性インナーウエストベルトをウエスト周りに巻いても、雄型スプリングホック２５が肌に直接当ることはなく、肌を圧迫することもない。したがって、快適に長時間着用することができる。
【０１２０】
次に、本実施の形態４の変形例について、図５（ｂ）を参照して説明する。図５（ｂ）に示されるように、図５（ａ）との相違点はウエストベルトの裏側１６ａに糸ループ２１の代わりにルーパー２２が取付けられている点のみである。したがって、伸縮性インナーウエストベルトをズボンのウエストベルトの裏側１６ａに装着する際には、雄型スプリングホック２５をそれぞれ対応する位置のルーパー２２に嵌めれば良いので、簡単に素早く装着することができる。
【０１２１】
次に、本実施の形態４の別の変形例について、図５（ｃ）を参照して説明する。図５（ｃ）に示されるように、図５（ａ）との相違点はウエストベルトの裏側１６ａに糸ループ２１の代わりに表地バイアスループまたは裏地バイアスループ２３が取付けられている点のみである。したがって、伸縮性インナーウエストベルトをズボンのウエストベルトの裏側１６ａに装着する際には、雄型スプリングホック２５をそれぞれ対応する位置の表地バイアスループまたは裏地バイアスループ２３に嵌めれば良いので、簡単に素早く装着することができる。
【０１２２】
なお、本実施の形態４においても、実施の形態１と同様に、伸縮性インナーウエストベルトの前面までズボンの裏側に固定してしまうと接着布による腰周り寸法の調節が困難になるため、伸縮性インナーウエストベルトの前面には、雄型スプリングホック２５が取付けられているが、前中心を止めて、ズボンを佩いて、その後前面の雄型スプリングホック２５を外して伸縮性インナーウエストベルトを締め直しても良いし、前中心を止めずにひらひらのままズボンを佩いても良いが、前者の方が佩き易い。
【０１２３】
また、本実施の形態４とは逆に、ズボンのウエストベルトの裏側１６ａに雄型スプリングホック２５を取付け、伸縮性インナーウエストベルトの表側１ａに糸ループ２１，ルーパー２２，表地バイアスループまたは裏地バイアスループ２３を（雄型スプリングホック２５を嵌めたときに雄型スプリングホック２５が肌に当らない位置にくるように）取付けても同様な作用効果が得られる。
【０１２４】
実施の形態５
次に、本発明の実施の形態５について、図６を参照して説明する。図６は本発明の実施の形態５にかかる伸縮性インナーウエストベルトをパンツ（ズボン）の裏側に装着する方法を示す説明図である。
【０１２５】
図６に示されるように、本実施の形態５にかかる伸縮性インナーウエストベルトの表側１ａには間隔をおいて複数のボタン２４が取付けられている。一方、ズボンのウエストベルトの裏側１６ａには、複数のボタン２４と対応する位置に複数のチイ２６が取付けられている。ここで、チイ２６とは、細長い布地を図のように折り畳んだループと同じ役割をするものである。そして、本実施の形態５にかかる伸縮性インナーウエストベルトをズボンのウエストベルトの裏側１６ａに装着する際には、ボタン２４をそれぞれ対応する位置のチイ２６に嵌めれば良いので、簡単に素早く装着することができる。
【０１２６】
ここで、複数のボタン２４は伸縮性インナーウエストベルトの表側１ａに取付けられているので、複数のボタン２４を複数のチイ２６に嵌めて、ズボンを佩くとともに伸縮性インナーウエストベルトをウエスト周りに巻いても、ボタン２４が肌に直接当ることはなく、肌を圧迫することもない。したがって、快適に長時間着用することができる。
【０１２７】
なお、本実施の形態５においても、実施の形態１と同様に、伸縮性インナーウエストベルトの前面までズボンの裏側に固定してしまうと接着布による腰周り寸法の調節が困難になるため、伸縮性インナーウエストベルトの前面には、ボタン２４が取付けられているが、前中心を止めて、ズボンを佩いて、その後前面のボタン２４を外して伸縮性インナーウエストベルトを締め直しても良いし、前中心を止めずにひらひらのままズボンを佩いても良いが、前者の方が佩き易い。
【０１２８】
また、本実施の形態５とは逆に、ズボンのウエストベルトの裏側１６ａにボタン２４を取付け、伸縮性インナーウエストベルトの表側１ａにチイ２６を（ボタン２４を嵌めたときにボタン２４が肌に当らない位置にくるように）取付けても同様な作用効果が得られる。
【０１２９】
実施の形態６
次に、本発明の実施の形態６について、図７を参照して説明する。図７は本発明の実施の形態６にかかる伸縮性インナーウエストベルトをパンツ（ズボン）の裏側に装着する方法を示す説明図である。
【０１３０】
図７に示されるように、本実施の形態６にかかる伸縮性インナーウエストベルトの表側１ａには間隔をおいて複数のボタン２４が取付けられている。一方、ズボンのウエストベルトの裏側１６ａには、複数のボタン２４と対応する位置に複数のボタンホール２７が設けられた布テープ２８が縫付けられている。そして、本実施の形態６にかかる伸縮性インナーウエストベルトをズボンのウエストベルトの裏側１６ａに装着する際には、ボタン２４をそれぞれ対応する位置のボタンホール２７に嵌めれば良いので、簡単に素早く装着することができる。
【０１３１】
ここで、複数のボタン２４は伸縮性インナーウエストベルトの表側１ａに取付けられているので、複数のボタン２４を複数のボタンホール２７に嵌めて、ズボンを佩くとともに伸縮性インナーウエストベルトをウエスト周りに巻いても、ボタン２４が肌に直接当ることはなく、肌を圧迫することもない。したがって、快適に長時間着用することができる。
【０１３２】
なお、本実施の形態６においても、実施の形態１と同様に、伸縮性インナーウエストベルトの前面までズボンの裏側に固定してしまうと接着布による腰周り寸法の調節が困難になるため、伸縮性インナーウエストベルトの前面には、ボタン２４が取付けられているが、前中心を止めて、ズボンを佩いて、その後前面のボタン２４を外して伸縮性インナーウエストベルトを締め直しても良いし、前中心を止めずにひらひらのままズボンを佩いても良いが、前者の方が佩き易い。
【０１３３】
また、本実施の形態６とは逆に、ズボンのウエストベルトの裏側１６ａにボタン２４を取付け、伸縮性インナーウエストベルトの表側１ａに複数のボタンホール２７が設けられた布テープ２８を（ボタン２４を嵌めたときにボタン２４が肌に当らない位置にくるように）取付けても同様な作用効果が得られる。また、布テープ２８でなくゴムテープに複数のボタンホール２７が設けられたものを、ズボンのウエストベルトの裏側１６ａ或いは伸縮性インナーウエストベルトの表側１ａに縫付けても良い。
【０１３４】
実施の形態７
次に、本発明の実施の形態７について、図８を参照して説明する。図８は本発明の実施の形態７にかかる伸縮性インナーウエストベルトをパンツ（ズボン）の裏側に装着する方法を示す説明図である。
【０１３５】
図８に示されるように、本実施の形態７にかかる伸縮性インナーウエストベルトの表側１ａには間隔をおいて複数の雄型スプリングホック２５が取付けられている。一方、ズボンのウエストベルトの裏側１６ａには、複数の雄型スプリングホック２５と対応する位置に複数の雌型スプリングホック２９が取付けられている。そして、本実施の形態７にかかる伸縮性インナーウエストベルトをズボンのウエストベルトの裏側１６ａに装着する際には、雄型スプリングホック２５をそれぞれ対応する位置の雌型スプリングホック２９に係合させれば良いので、簡単に素早く装着することができる。
【０１３６】
ここで、複数の雄型スプリングホック２５は伸縮性インナーウエストベルトの表側１ａに取付けられているので、複数の雄型スプリングホック２５を複数の雌型スプリングホック２９に係合させて、ズボンを佩くとともに伸縮性インナーウエストベルトをウエスト周りに巻いても、雄型スプリングホック２５或いは雌型スプリングホック２９が肌に直接当ることはなく、肌を圧迫することもない。したがって、快適に長時間着用することができる。
【０１３７】
なお、本実施の形態７においても、実施の形態１と同様に、伸縮性インナーウエストベルトの前面までズボンの裏側に固定してしまうと接着布による腰周り寸法の調節が困難になるため、伸縮性インナーウエストベルトの前面には、雄型スプリングホック２５が取付けられているが、前中心を止めて、ズボンを佩いて、その後前面の雄型スプリングホック２５を外して伸縮性インナーウエストベルトを締め直しても良いし、前中心を止めずにひらひらのままズボンを佩いても良いが、前者の方が佩き易い。
【０１３８】
また、本実施の形態７とは逆に、ズボンのウエストベルトの裏側１６ａに雄型スプリングホック２５を取付け、伸縮性インナーウエストベルトの表側１ａに雌型スプリングホック２９を（雄型スプリングホック２５を嵌めたときに雄型スプリングホック２５及び雌型スプリングホック２９が肌に当らない位置にくるように）取付けても同様な作用効果が得られる。また、図８においては、形状の異なる２種類の雌型スプリングホック２９を混合して用いているが、どちらか１種類に統一しても良い。
【０１３９】
実施の形態８
次に、本発明の実施の形態８について、図９を参照して説明する。図９は本発明の実施の形態８にかかる伸縮性インナーウエストベルトをパンツ（ズボン）の裏側に装着する方法を示す説明図である。
【０１４０】
図９に示されるように、本実施の形態８にかかる伸縮性インナーウエストベルトの表側１ａには、一定間隔をおいて複数の凸側ドット釦３１が取付けられたドット・スナップテープ３２が縫付けられている。一方、ズボンのウエストベルトの裏側１６ａには、同じ一定間隔をおいて複数の凹側ドット釦３０が取付けられたドット・スナップテープ３２が縫付けられている。そして、本実施の形態８にかかる伸縮性インナーウエストベルトをズボンのウエストベルトの裏側１６ａに装着する際には、凸側ドット釦３１をそれぞれ対応する位置の凹側ドット釦３０に嵌めれば良いので、簡単に素早く装着することができる。
【０１４１】
ここで、複数の凸側ドット釦３１が取付けられたドット・スナップテープ３２は伸縮性インナーウエストベルトの表側１ａに取付けられているので、複数の凸側ドット釦３１を複数の凹側ドット釦３０に嵌めて、ズボンを佩くとともに伸縮性インナーウエストベルトをウエスト周りに巻いても、凸側ドット釦３１も凹側ドット釦３０も肌に直接当ることはなく、肌を圧迫することもない。したがって、快適に長時間着用することができる。
【０１４２】
なお、本実施の形態８においても、実施の形態１と同様に、伸縮性インナーウエストベルトの前面までズボンの裏側に固定してしまうと接着布による腰周り寸法の調節が困難になるため、伸縮性インナーウエストベルトの前面には、複数の凸側ドット釦３１が取付けられたドット・スナップテープ３２は取付けられているが、前中心を止めて、ズボンを佩いて、その後前面の凸側ドット釦３１を外して伸縮性インナーウエストベルトを締め直しても良いし、前中心を止めずにひらひらのままズボンを佩いても良いが、前者の方が佩き易い。
【０１４３】
また、本実施の形態８とは逆に、ズボンのウエストベルトの裏側１６ａに複数の凸側ドット釦３１が取付けられたドット・スナップテープ３２を取付け、伸縮性インナーウエストベルトの表側１ａに複数の凹側ドット釦３０が取付けられたドット・スナップテープ３２を取付けても同様な作用効果が得られる。さらに、ドット・スナップテープ３２を用いずに、複数の凹側ドット釦３０と複数の凸側ドット釦３１を直接それぞれ間隔をおいて、ズボンのウエストベルトの裏側１６ａまたは伸縮性インナーウエストベルトの表側１ａに取付けても良い。
【０１４４】
実施の形態９
次に、本発明の実施の形態９について、図１０を参照して説明する。図１０は本発明の実施の形態９にかかる伸縮性インナーウエストベルトをパンツ（ズボン）の裏側に装着する方法を示す説明図である。
【０１４５】
図１０に示されるように、本実施の形態９にかかる伸縮性インナーウエストベルトの表側１ａには、複数のオープンファスナーの雌側３４が取付けられている。一方、ズボンのウエストベルトの裏側１６ａには、相対する位置に複数のオープンファスナーの雄側３３が取付けられている。そして、本実施の形態９にかかる伸縮性インナーウエストベルトをズボンのウエストベルトの裏側１６ａに装着する際には、相対する位置のオープンファスナーの雄側３３と雌側３４を合わせてファスナーを閉じれば良いので、簡単に素早く装着することができる。
【０１４６】
ここで、複数のオープンファスナーの雌側３４は伸縮性インナーウエストベルトの表側１ａに取付けられているので、複数のオープンファスナーの雄側３３と雌側３４を合わせてファスナーを閉じ、ズボンを佩くとともに伸縮性インナーウエストベルトをウエスト周りに巻いても、オープンファスナーの雄側３３も雌側３４も肌に直接当ることはなく、肌を圧迫することもない。したがって、快適に長時間着用することができる。
【０１４７】
なお、本実施の形態９においても、実施の形態１と同様に、伸縮性インナーウエストベルトの前面までズボンの裏側に固定してしまうと接着布による腰周り寸法の調節が困難になるため、伸縮性インナーウエストベルトの前面には、オープンファスナーの雌側３４は取付けられているが、前中心を止めて、ズボンを佩いて、その後前面のオープンファスナーの雌側３４を外して伸縮性インナーウエストベルトを締め直しても良いし、前中心を止めずにひらひらのままズボンを佩いても良いが、前者の方が佩き易い。
【０１４８】
また、本実施の形態９においては、短めのオープンファスナーの雄側３３と雌側３４を複数取付けているが、伸縮性インナーウエストベルトの後ろ中心から前面の手前まで左右に２個のオープンファスナーを取付けても良いし、伸縮性インナーウエストベルトの前面を避けてその他の部分に１個のオープンファスナーを取付けても良い。
【０１４９】
また、本実施の形態９とは逆に、ズボンのウエストベルトの裏側１６ａにオープンファスナーの雌側３４を取付け、伸縮性インナーウエストベルトの表側１ａにオープンファスナーの雄側３３を（オープンファスナーの雄側３３をオープンファスナーの雌側３４と合わせて閉じたときにオープンファスナーの雄側３３及び雌側３４が肌に当らない位置にくるように）取付けても同様な作用効果が得られる。
【０１５０】
実施の形態１０
次に、本発明の実施の形態１０について、図１１を参照して説明する。図１１（ａ）は本発明の実施の形態１０にかかる伸縮性インナーウエストベルトをパンツ（ズボン）の裏側に装着する方法を示す説明図、（ｂ）は変形例を示す図である。
【０１５１】
図１１（ａ）に示されるように、本実施の形態１０にかかる伸縮性インナーウエストベルトの表側１ａには、複数のボタン２４が取付けられている。一方、ズボンのウエストベルトの裏側１６ａには、一定の間隔をおいて複数のホール３５の付いた図示されないレース生地が縫付けられている。そして、本実施の形態１０にかかる伸縮性インナーウエストベルトをズボンのウエストベルトの裏側１６ａに装着する際には、相対する位置のレース生地のホール３５にボタン２４を嵌めれば良いので、簡単に素早く装着することができる。
【０１５２】
ここで、複数のボタン２４は伸縮性インナーウエストベルトの表側１ａに取付けられているので、複数のボタン２４をそれぞれレース生地のホール３５に嵌めて、ズボンを佩くとともに伸縮性インナーウエストベルトをウエスト周りに巻いても、ボタン２４が肌に直接当ることはなく、肌を圧迫することもない。したがって、快適に長時間着用することができる。
【０１５３】
次に、本実施の形態１０の変形例について、図１１（ｂ）を参照して説明する。図１１（ｂ）に示されるように、図１１（ａ）との相違点は伸縮性インナーウエストベルトの表側１ａにボタン２４の代わりに雄型スプリングホック２５が取付けられている点のみである。したがって、伸縮性インナーウエストベルトをズボンのウエストベルトの裏側１６ａに装着する際には、雄型スプリングホック２５をそれぞれ対応する位置のホール３５に嵌めれば良いので、簡単に素早く装着することができる。
【０１５４】
ここで、複数の雄型スプリングホック２５は伸縮性インナーウエストベルトの表側１ａに取付けられているので、複数の雄型スプリングホック２５を複数のホール３５に嵌めて、ズボンを佩くとともに伸縮性インナーウエストベルトをウエスト周りに巻いても、雄型スプリングホック２５が肌に直接当ることはなく、肌を圧迫することもない。したがって、快適に長時間着用することができる。
【０１５５】
なお、本実施の形態１０においても、実施の形態１と同様に、伸縮性インナーウエストベルトの前面までズボンの裏側に固定してしまうと接着布による腰周り寸法の調節が困難になるため、伸縮性インナーウエストベルトの前面には、ボタン２４或いは雄型スプリングホック２５は取付けられているが、前中心を止めて、ズボンを佩いて、その後前面のボタン２４或いは雄型スプリングホック２５を外して伸縮性インナーウエストベルトを締め直しても良いし、前中心を止めずにひらひらのままズボンを佩いても良いが、前者の方が佩き易い。
【０１５６】
また、本実施の形態１０とは逆に、ズボンのウエストベルトの裏側１６ａにボタン２４を取付け、伸縮性インナーウエストベルトの表側１ａに複数のホール３５の付いたレース生地を（ボタン２４をホール３５に嵌めたときにボタン２４が肌に当らない位置にくるように）取付けても同様な作用効果が得られる。
【０１５７】
実施の形態１１
次に、本発明の実施の形態１１について、図１２を参照して説明する。図１２は本発明の実施の形態１１にかかる伸縮性インナーウエストベルトをパンツ（ズボン）の裏側に装着する方法を示す説明図である。
【０１５８】
図１２に示されるように、本実施の形態１１にかかる伸縮性インナーウエストベルトの表側１ａには、接着布（マジックテープ（登録商標））の軟らかい側３５ｂが取付けられている。一方、ズボンのウエストベルトの裏側１６ａには、接着布の硬い側３５ａが取付けられている。本実施の形態１１にかかる伸縮性インナーウエストベルトをズボンのウエストベルトの裏側１６ａに装着する際には、相対する位置の接着布の硬い側３５ａと接着布の軟らかい側３５ｂを接着させれば良いので、簡単に素早く装着することができる。
【０１５９】
ここで、接着布の軟らかい側３５ｂは伸縮性インナーウエストベルトの表側１ａに取付けられているので、接着布の軟らかい側３５ｂをそれぞれ接着布の硬い側３５ａと接着させ、ズボンを佩くとともに伸縮性インナーウエストベルトをウエスト周りに巻いても、接着布の硬い側３５ａ及び接着布の軟らかい側３５ｂが肌に直接当ることはなく、肌を圧迫することもない。したがって、快適に長時間着用することができる。
【０１６０】
なお、本実施の形態１１においても、実施の形態１と同様に、伸縮性インナーウエストベルトの前面までズボンの裏側に固定してしまうと接着布による腰周り寸法の調節が困難になるため、伸縮性インナーウエストベルトの前面には、接着布の硬い側３５ａ或いは接着布の軟らかい側３５ｂは取付けられているが、前中心を止めて、ズボンを佩いて、その後前面の接着布を外して伸縮性インナーウエストベルトを締め直しても良いし、前中心を止めずにひらひらのままズボンを佩いても良いが、前者の方が佩き易い。
【０１６１】
また、本実施の形態１１とは逆に、ズボンのウエストベルトの裏側１６ａに接着布の軟らかい側３５ｂを取付け、伸縮性インナーウエストベルトの表側１ａに接着布の硬い側３５ａを取付けても同様な作用効果が得られる。
【０１６２】
実施の形態１２
次に、本発明の実施の形態１２について、図１３を参照して説明する。図１３は本発明の実施の形態１２にかかる伸縮性インナーウエストベルトが取付けられるパンツ（ズボン）の裏側を示す説明図である。
【０１６３】
図１３に示されるように、本実施の形態１２にかかる伸縮性インナーウエストベルトが取付けられる衣服としてのズボン１５のウエストベルト１６の裏側１６ａには、約２ｃｍのキセ３６が設けられており、これによって、上記各実施の形態で説明したウエストベルト１６の裏側１６ａに取付けられる着脱具の一方であるＺナップの凹側７Ｂ，ルーパー２２，ボタンホール２７付き布テープ２８，接着布の硬い側３５ａ等がキセ３６の下に隠される。実施の形態１から実施の形態１１までで説明したその他の着脱具の一方についても、全て同様に隠される。
【０１６４】
このように、ズボン１５のウエストベルト１６の裏側１６ａにキセ３６を設けて着脱具の一方を隠すことによって、インナーウエストベルトを着用しないときには普通の衣服（紳士用ズボン、婦人用パンツ、スカート等）に見え、インナーウエストベルトを装着したときには、着脱具が隠れて見栄えが良くなる。さらに、キセ３６分の布地２枚３６ａ，３６ｂが間に挟まることによって、着脱具の肌への当りもより一層少なくなり、快適に長時間着用できる伸縮性インナーウエストベルトとなる。
【０１６５】
また、キセ３６を貫通して複数のボタンホール３８を設けることができ、このようにキセ３６を利用することによって、ボタンホール２７用の布テープ２８を縫付けなくても、直接複数のボタンホール３８を設けることができる。さらに、キセ３６の内側の布３６ａのみに複数の隠し穴かがり３９を設けることによって、ボタンホール（穴かがり）３９を隠すことができる。そして、インナーウエストベルトの表側に複数のボタンが取付けられて、ボタンホール３８または隠し穴かがり３９にボタンが嵌められ或いは外されることによって、ズボン１５のウエストベルト裏側１６ａに着脱可能となる。
【０１６６】
このようにして、隠し穴かがり３９についてはインナーウエストベルトを着用しないときには普通の衣服（紳士用ズボン、婦人用パンツ、スカート等）に見え、インナーウエストベルトを装着したときには、ボタンが隠れて見栄えが良くなる。さらに、キセ３６分の布地２枚３６ａ，３６ｂが間に挟まることによって、ボタンの肌への当りもより一層少なくなり、快適に長時間着用することができる。なお、キセ３６分の長さはズボン１５のウエストベルト裏側１６ａに取付けられる着脱具の大きさ（布テープ２８の幅やドット釦の大きさ等）によって変化させる。
【０１６７】
実施の形態１３
次に、本発明の実施の形態１３について、図１４を参照して説明する。図１４（ａ）は本発明の実施の形態１３にかかるガードル形伸縮性インナーウエストベルトの前明ファスナーを閉じた状態を示す斜視図、（ｂ）は前明ファスナーを開いた状態を示す斜視図である。本発明の実施の形態１３は、本発明の伸縮性インナーウエストベルトを主に婦人用パンツ（婦人用ズボン）に適用した場合を例示するものである。
【０１６８】
図１４（ａ）に示されるように、本実施の形態１３の伸縮性インナーウエストベルト４０は、インナー用のニット（補正下着などに使う素材）でガードルを作り、ズボン（パンツ）にＺナップ７Ａで装着する。斜線部分４１Ｂは、引き締め効果を得るために２重（ニット生地を二枚重ね）にする。前中心部分４１Ｃは、上記に加えさらに腹部を引き締めるために三枚重ねとする。
【０１６９】
このようにして、腹まわりからお尻、後ろ太もものあたり等、弛んだ部分あるいは出っ張った部分を、生地を重ねることにより強力に締める。このように二重、三重に重ねた切り替え布の縫い始末は、裁ち切りでジグザグ縫いとする。また、ガードルの裾の縫い始末は、裁ち切りで、１．５ｃｍくらい中に入ったところをジグザグ縫いする。
【０１７０】
そして、本実施の形態１３の伸縮性インナーウエストベルト４０の前中心には、ファスナー４２が設けられている。これによって、図１４（ｂ）に示されるようにファスナー４２を開くことで、腹部が強力に締め付けられる伸縮性インナーウエストベルト４０も、ズボンにＺナップ７Ａで取付けた状態でも楽に着用することができる。着用後、図１４（ａ）に示されるように、ファスナー４２を閉じることによって、腹まわりからお尻、後ろ太もものあたり等、弛んだ部分あるいは出っ張った部分が、生地を重ねることによって強力に締め付けられる。
【０１７１】
このようにして、本実施の形態１３の伸縮性インナーウエストベルト４０は、弛んだ部分あるいは出っ張った部分を、ニット生地を二重、三重に重ねることによって強力に締めるので腹部の充分な引き締め効果が得られるとともに、ファスナー４２を設けることによって、着用を容易にしている。
【０１７２】
実施の形態１４
次に、本発明の実施の形態１４について、図１５を参照して説明する。図１５（ａ）は本発明の実施の形態１４にかかる伸縮性インナーウエストベルトを取付ける衣服のウエストベルトの構造を表側から見て示す説明図、（ｂ）は実施の形態１４の変形例にかかる伸縮性インナーウエストベルトを取付ける衣服のウエストベルトの構造を表側から見て示す説明図である。本発明の実施の形態１４は、本発明の伸縮性インナーウエストベルトを主に婦人用パンツ（婦人用ズボン）に適用した場合を例示するものである。
【０１７３】
上記各実施の形態１〜１３にかかる伸縮性インナーウエストベルトは、各種着脱具の着用者の肌への当りを少なくして快適に長時間着用することができるものであるが、衣服の表側については何の配慮もされていないため、衣服に伸縮性インナーウエストベルトを取付けて着用したとき、衣服の表身頃に着脱具のアタリがくっきり浮き出てしまうことがある。特に、生地の薄い婦人用パンツ等ではその可能性が高く、美観を損なってしまうことになる。
【０１７４】
そこで、本実施の形態１４においては、図１５（ａ）に示されるように、着脱具としてＺナップの凸側７Ａまたは凹側７Ｂが所定間隔でテープに複数個取付けられたＺナップテープ４７Ａ，４７Ｂを用いた場合において、衣服４５のウエストベルト４６の裏布を延長したものをＺナップテープ４７Ｂの表側に二つ折りにして被せ、当て布４６ａとして用いている。即ち、ウエストベルト４６の裏布を適当な長さで折り返して、衣服４５のウエストベルト４６の裏側に取付けられた着脱具の一方としてのＺナップテープ４７Ｂと衣服４５の表身頃３７ａの間に挿入し、折り返して二重にして衣服４５のウエストベルト４６全体を縫付けている。これによって、衣服４５の表身頃３７ａの生地が薄くても、適切な厚さの当て布４６ａをその下に縫込むことによって、嵌合したＺナップ７Ａ，７Ｂの形状が表から突出して見えるのを防止している。
【０１７５】
また、図１５（ｂ）に示されるように、本実施の形態１４の変形例においては、衣服４５のウエストベルト４６の裏布とは別に、適切な厚さの生地を、ウエストベルト４６の裏側に取付けられた着脱具の一方としてのＺナップテープ４７Ｂと衣服４５の表身頃３７ａの間に挿入し、折り返して二重にして当て布４８としている。これによって、衣服４５の表身頃３７ａの生地が薄くても、適切な厚さの当て布４８をその下に縫込むことによって、嵌合したＺナップ７Ａ，７Ｂの形状が表から突出して見えるのを防止している。なお、当て布４８の素材としては、メッシュ・裏地・共布等、各種の素材を用いることができる。
【０１７６】
このようにして、本実施の形態１４の伸縮性インナーウエストベルトにおいては、衣服の裏側に着脱可能であって、種々の着脱具が肌に直接当ることがなく、快適に長時間着用することができるとともに着脱具のアタリが表身頃に表れて美観を損ねるのを防ぐことができる。
【０１７７】
なお、本実施の形態１４においては、図１５（ａ），（ｂ）に示されるように、Ｚナップテープ４７Ｂの内側にキセ４６ｂを設けているが、キセ４６ｂは必ずしも設けなくとも良い。このキセ４６ｂによってＺナップテープ４７Ｂ（凹側）及びＺナップの凹側７Ｂが隠れ、インナーウエストベルトを着用しないときには普通の衣服（婦人用パンツ、紳士用ズボン、スカート等）に見え、インナーウエストベルトを装着したときには、嵌合したＺナップ７Ａ，７Ｂが隠れて見栄えが良くなる。さらに、キセ４６ｂの布地２枚が間に挟まることによって、Ｚナップ７Ａ，７Ｂの肌への当りも和らげられ、快適に長時間着用できる伸縮性インナーウエストベルトとなる。
【０１７８】
実施の形態１５
次に、本発明の実施の形態１５について、図１６を参照して説明する。図１６は本発明の実施の形態１５にかかる伸縮性インナーウエストベルトの構造と、その伸縮性インナーウエストベルトを取付ける衣服のウエストベルトの構造を裏側から見て示す説明図である。本発明の実施の形態１５は、本発明の伸縮性インナーウエストベルトを主に婦人用パンツ（婦人用ズボン）に適用した場合を例示するものである。
【０１７９】
図１６に示されるように、本実施の形態１５においては、実施の形態１４と異なり、伸縮性インナーウエストベルト１の上端に縫付けられたＺナップテープ４７Ａ（凸側）の表側に、二重にした当て布４９を縫付けている。これによって、Ｚナップ７ＡとＺナップ７Ｂを全周に亘って嵌合させて衣服４５にインナーウエストベルト１を装着した際には、嵌合したＺナップ７Ａ，７Ｂと表身頃３７ａの間に当て布４９が入り込み、衣服４５の表身頃３７ａの生地が薄くても、適切な厚さの当て布４９によって嵌合したＺナップ７Ａ，７Ｂの形状が表から突出して見えるのが防止される。
【０１８０】
このようにして、本実施の形態１５の伸縮性インナーウエストベルト１においては、衣服の裏側に着脱可能であって、種々の着脱具が肌に直接当ることがなく、快適に長時間着用することができるとともに着脱具のアタリが表身頃に表れて美観を損ねるのを防ぐことができる。
【０１８１】
なお、本実施の形態１５においても、図１６に示されるように、Ｚナップテープ４７Ｂの内側にキセ４６ｂを設けているが、キセ４６ｂは必ずしも設けなくとも良い。このキセ４６ｂによってＺナップテープ４７Ｂ（凹側）及びＺナップの凹側７Ｂが隠れ、インナーウエストベルトを着用しないときには普通の衣服（婦人用パンツ、紳士用ズボン、スカート等）に見え、インナーウエストベルトを装着したときには、嵌合したＺナップ７Ａ，７Ｂが隠れて見栄えが良くなる。さらに、キセ４６ｂの布地２枚が間に挟まることによって、Ｚナップ７Ａ，７Ｂの肌への当りも和らげられ、快適に長時間着用できる伸縮性インナーウエストベルトとなる。
【０１８２】
実施の形態１６
次に、本発明の実施の形態１６について、図１７を参照して説明する。図１７（ａ）は本発明の実施の形態１６にかかる衣服のウエストベルト付近の構造を示す斜視図、（ｂ）は（ａ）の衣服に取付ける伸縮性インナーウエストベルトの構造を示す斜視図である。本発明の実施の形態１６は、本発明の伸縮性インナーウエストベルトを主に婦人用パンツ（婦人用ズボン）に適用した場合を例示するものである。
【０１８３】
図１７（ａ），（ｂ）に示されるように、本実施の形態１６にかかる伸縮性インナーウエストベルト５０においても、着脱具としてＺナップ凸側７ＡまたはＺナップ凹側７Ｂが所定間隔でテープに複数個取付けられた、Ｚナップテープ（凸側）４７Ａ及びＺナップテープ（凹側）４７Ｂを用いている。即ち、Ｚナップテープ（凹側）４７Ｂを衣服４５のウエストベルト４６の裏側に縫付け、Ｚナップテープ（凸側）４７Ａをインナーウエストベルト５０の上端に縫付けている。ここで、Ｚナップテープ（凸側）４７Ａ及び（凹側）４７Ｂのテープは伸縮性のない素材でできており、衣服４５においてもインナーウエストベルト５０においても、両脇と前中心近傍を除いて縫付けられている。
【０１８４】
これによって、Ｚナップ凸側７ＡをＺナップ凹側７Ｂに全周に亘って嵌め込んで、インナーウエストベルト５０を内側に装着した衣服４５を着用したとき、衣服４５が伸縮性のある素材でできていても（特に、婦人用パンツには多い）、ベルト回りが締め付けられて腹部が出ることがなく、美しいボディラインができる。そして、押えられた贅肉は伸縮性のないＺナップテープ４７Ａ，４７Ｂが取付けられていない両脇へ逃げるので、比較的楽に腹部を引き締めることができる。なお、伸縮性のないＺナップテープ４７Ａ，４７Ｂの代わりに伸縮性のないテープに複数の凸側または凹側のドット釦が付いたドット・スナップテープを用いても良い。
【０１８５】
このようにして、本実施の形態１６にかかる伸縮性インナーウエストベルト５０においては、衣服が伸縮性のある素材でできている場合でも、腹部を押えて美しいボディラインとすることができる。なお、本実施の形態１６においては、Ｚナップテープ４７Ａ，４７Ｂが取付けられていない両脇の部分を１対のＺナップ７Ａ，７Ｂで衣服４５に取付けるようにしている。両脇の部分を完全に自由にしてしまうと、衣服４５の両脇とインナーウエストベルト５０の間が開いて見苦しくなる恐れがあるので、１対のＺナップ７Ａ，７Ｂで衣服４５とインナーウエストベルト５０を接続することによって、衣服４５の両脇が開くのを防ぐことができる。
【０１８６】
また、多少見栄えが悪くても楽にインナーウエストベルトでウエストから下の部分を引き締めたいという要望もあるので、そのような場合には伸縮性のある素材からなる衣服に、着脱具として伸縮性のあるＺナップテープまたはドット・スナップテープを用いて、腹部を締め付けないようにすれば良い。
【０１８７】
上記各実施の形態においては、本発明の伸縮性インナーウエストベルトを紳士用ズボン及び婦人用パンツに適用した場合について説明したが、本発明の伸縮性インナーウエストベルトは衣服全般について適用できるものであり、Ｇパン、綿パン、スカート、ワンピース等にも適用することができる。
【０１８８】
また、上記各実施の形態においては、前側の脇部分において接着布によって外周長さ調節可能に接続されている伸縮性インナーウエストベルトについて説明したが、このように着脱可能に接続されているものに限られず、最初から外周長さを固定して全周を縫い付けてしまっても良い。このように外周長さを固定した伸縮性インナーウエストベルトであっても、伸縮性があるので幾通りかの外周長さのものを用意しておけば、誰でも自分のウエストサイズに合ったものを着用することができる。
【０１８９】
伸縮性インナーウエストベルトのその他の部分の構造、形状、数量、材質、大きさ、接続関係等についても、上記各実施の形態に限定されるものではない。
【図面の簡単な説明】
【０１９０】
【図１】図１（ａ）は本発明の実施の形態１にかかる伸縮性インナーウエストベルトの接続を外して伸ばした状態を示す全体正面図、（ｂ）は伸縮性インナーウエストベルトの両端を接続して着用状態としたときの正面から見た全体を示す斜視図、（ｃ）は着用状態としたときの背面のみを示す背面図である。
【図２】図２（ａ）は本発明の実施の形態１にかかる伸縮性インナーウエストベルトをズボンの裏側に着脱自在に接続するＺナップの構造を示す説明図、（ｂ）は伸縮性インナーウエストベルトをズボンの裏側に装着した状態を示す斜視図である。
【図３】図３は本発明の実施の形態２にかかる伸縮性インナーウエストベルトをパンツ（ズボン）の裏側に装着する方法を示す説明図である。
【図４】図４（ａ）は本発明の実施の形態３にかかる伸縮性インナーウエストベルトをパンツ（ズボン）の裏側に装着する方法を示す説明図、（ｂ）は変形例を示す図、（ｃ）は別の変形例を示す図である。
【図５】図５（ａ）は本発明の実施の形態４にかかる伸縮性インナーウエストベルトをパンツ（ズボン）の裏側に装着する方法を示す説明図、（ｂ）は変形例を示す図、（ｃ）は別の変形例を示す図である。
【図６】図６は本発明の実施の形態５にかかる伸縮性インナーウエストベルトをパンツ（ズボン）の裏側に装着する方法を示す説明図である。
【図７】図７は本発明の実施の形態６にかかる伸縮性インナーウエストベルトをパンツ（ズボン）の裏側に装着する方法を示す説明図である。
【図８】図８は本発明の実施の形態７にかかる伸縮性インナーウエストベルトをパンツ（ズボン）の裏側に装着する方法を示す説明図である。
【図９】図９は本発明の実施の形態８にかかる伸縮性インナーウエストベルトをパンツ（ズボン）の裏側に装着する方法を示す説明図である。
【図１０】図１０は本発明の実施の形態９にかかる伸縮性インナーウエストベルトをパンツ（ズボン）の裏側に装着する方法を示す説明図である。
【図１１】図１１（ａ）は本発明の実施の形態１０にかかる伸縮性インナーウエストベルトをパンツ（ズボン）の裏側に装着する方法を示す説明図、（ｂ）は変形例を示す図である。
【図１２】図１２は本発明の実施の形態１１にかかる伸縮性インナーウエストベルトをパンツ（ズボン）の裏側に装着する方法を示す説明図である。
【図１３】図１３は本発明の実施の形態１２にかかる伸縮性インナーウエストベルトが取付けられるパンツ（ズボン）の裏側を示す説明図である。
【図１４】図１４（ａ）は本発明の実施の形態１３にかかるガードル形伸縮性インナーウエストベルトの前明ファスナーを閉じた状態を示す斜視図、（ｂ）は前明ファスナーを開いた状態を示す斜視図である。
【図１５】図１５（ａ）は本発明の実施の形態１４にかかる伸縮性インナーウエストベルトを取付ける衣服のウエストベルトの構造を表側から見て示す説明図、（ｂ）は実施の形態１４の変形例にかかる伸縮性インナーウエストベルトを取付ける衣服のウエストベルトの構造を表側から見て示す説明図である。
【図１６】図１６は本発明の実施の形態１５にかかる伸縮性インナーウエストベルトの構造と、その伸縮性インナーウエストベルトを取付ける衣服のウエストベルトの構造を裏側から見て示す説明図である。
【図１７】図１７（ａ）は本発明の実施の形態１６にかかる衣服のウエストベルト付近の構造を示す斜視図、（ｂ）は（ａ）の衣服に取付ける伸縮性インナーウエストベルトの構造を示す斜視図である。
【符号の説明】
【０１９１】
１，４０，５０  伸縮性インナーウエストベルト
１ａ  インナーウエストベルトの表側
２  ゴムテープ
３，４１Ａ，４１Ｂ，４１Ｃ  伸縮性の素材
３ａ，３ｂ，３ｃ，３ｄ，３ｅ，３ｆ，３ｇ  部分
４，４Ａ，４Ｂ  接着布
５ａ，５ｂ，５ｃ，５ｄ，５ｅ  接続部分
１５，４５  衣服
１６ａ  衣服のウエストベルトの裏側
２０Ａ  ランジェリーフックアイテープの雌側
２０ａ  雌フック
２０Ｂ  ランジェリーフックアイテープの雄側
２０ｂ  雄フック
２１  糸ループ
２２  ルーパー
２３  表地バイアスループまたは裏地バイアスループ
２４  ボタン
２５  雄型スプリングホック
２６  チイ
２７，３８  ボタンホール
２８  布テープ
２９  雌型スプリングホック
３０  凹側ドット釦
３１  凸側ドット釦
３２  ドット・スナップテープ
３３  オープンファスナーの雄側
３４  オープンファスナーの雌側
３５  レースのホール
３５ａ  接着布の硬い側
３５ｂ  接着布の軟らかい側
３６，４６ｂ  キセ
３６ａ  キセの内側の布
３７  身頃
３７ａ  表身頃
３９  隠し穴かがり
４２  ファスナー
４６  ウエストベルト
４６ａ，４８，４９  当て布
４７Ａ  Ｚナップテープ（凸側）
４７Ｂ  Ｚナップテープ（凹側）
【図１】
2004353154.tif 000003
【図２】
2004353154.tif 000004
【図３】
2004353154.tif 000005
【図４】
2004353154.tif 000006
【図５】
2004353154.tif 000007
【図６】
2004353154.tif 000008
【図７】
2004353154.tif 000009
【図８】
2004353154.tif 000010
【図９】
2004353154.tif 000011
【図１０】
2004353154.tif 000012
【図１１】
2004353154.tif 000013
【図１２】
2004353154.tif 000014
【図１３】
2004353154.tif 000015
【図１４】
2004353154.tif 000016
【図１５】
2004353154.tif 000017
【図１６】
2004353154.tif 000018
【図１７】
2004353154.tif 000019